(57)【要約】【課題】本発明の空気調和機は、ファンケース内の結露水を確実に処理可能な形状を有することにより、保水材等の貼り付けなく安価に結露水に対する信頼性を向上させるものである。【解決手段】ファンケース１の最下部にＶ字型の切欠き２を設けることによりファンケース１内の最下部に溜まった結露水は、水滴が大きく溜まる前に少量づつＶ字型の切欠き２を伝わって下方へ滴下し、スクロール３へと導かれ、吹出し部９最前部を形成するグリル４内へと水が回収されることによって、室内機のファンケース１内の結露水は本体外に飛び出すことなく結露水に対する信頼性は確保される。【選択図】図１
2006194482.tif 000002
【特許請求の範囲】
【請求項１】
クロスフローファンの端部を収納保持するファンケースとスクロールとを一体形成する台枠と、吹出し部と、外郭を形成するグリルを有し、前記ファンケース最下部にＶ字型の切欠きを設けることを特徴とする空気調和機。
【請求項２】
Ｖ字型の切欠きの下方の縦壁に、前記切欠きとの対向面の投影面が前記切欠きを覆うような庇形状のリブを設けることを特徴とする請求項１に記載の空気調和機。
【請求項３】
ファンケースの下方のスクロールの一部に溝を設けることを特徴とする請求項１又は２に記載の空気調和機。
【請求項４】
スクロールに設けた溝の先端最深部を吹出し部のグリル先端部より低くすることを特徴とする請求項３に記載の空気調和機。
【発明の詳細な説明】
【技術分野】
【０００１】
本発明は、結露水処理機構を有する空気調和機に関するものである。
【背景技術】
【０００２】
従来、この種の空気調和機は冷房運転時に発生する結露水の処理としてスクロール内で発生した水をグリル外部に出さないために、スクロール先端とグリルとの隙間に水を回収する機構を設けている（例えば特許文献１）。
【０００３】
図５は、特許文献１に記載された従来の空気調和機の要部断面図を示すものである。図５に示すように、ファンケース１、スクロール３、グリル４、吹出し部９、保水材１０から構成されている。
【特許文献１】特開平７−１５８８８０号公報
【発明の開示】
【発明が解決しようとする課題】
【０００４】
しかしながら、前記従来の構成では、スクロール先端よりグリルが前方にあり、その隙間に水を回収する機構になっているが、ファンケースの様に奥にある構造物に結露した水は風向により流れ出る角度が大きく影響されるため広範囲にわたり水を回収する機構が必要であるという課題を有していた。
【０００５】
本発明は、前記従来の課題を解決するもので、結露水をグリルまで導く機構をもたせ、結露水をグリル内部に確実に回収する空気調和機を提供することを目的とする。
【課題を解決するための手段】
【０００６】
前記従来の課題を解決するために、本発明の空気調和機は、ファンケースの最下部にＶ字型の切欠きを設けるものである。
【０００７】
これによって、ファンケース内に結露した水は水滴が大きくならない内に、発生都度、Ｖ字型の切欠きに導かれ、縦壁面を伝わって前面に流れ出てグリル内部に回収されるため、一気に大粒の水滴がスクロールを伝わって前面に流れ出て、グリル外に飛び出すことを回避できるようになる。
【０００８】
また、本発明の空気調和機は、請求項１に記載の空気調和機において、Ｖ字型の切欠きの下方の縦壁に、切欠きとの対向面の投影面が切欠きを覆うような庇形状のリブを設けるものである。
【０００９】
これにより確実にグリル内部に水を導くことが出来るようになる。
【００１０】
また、本発明の空気調和機は、請求項1又は２に記載の空気調和機において、ファンケースの下方のスクロールの一部に溝を設けるものである。
【００１１】
これにより水の流れる範囲を確実に制限できグリル内に導くことが出来るようになる。
【００１２】
また、本発明の空気調和機は、請求項３に記載の空気調和機において、スクロールの一部を低くして設けた溝の先端最深部を吹出し部のグリル先端部より低くするものである。
【００１３】
これにより溝より導かれた水は、必ずグリル先端部より下側に回り込むことになり、確
実に水をグリル内部に回収できる。
【発明の効果】
【００１４】
本発明の空気調和機は、ファンケース内の結露水を確実に処理可能な形状を有することにより、保水材等の貼り付けなく安価に結露水に対する信頼性を向上させるものである。
【発明を実施するための最良の形態】
【００１５】
第１の発明は、ファンケース最下部にＶ字型の切欠きを設けることにより冷房運転時に発生するファンケース内の結露水を発生都度、少量づつ下方へ流すことを可能とし、勢いをつけて大きな水滴がスクロールを伝わって外部へ飛び出すことを防止することが出来る。
【００１６】
第２の発明は、特に、第１の発明のファンケース最下部のＶ字型の切欠きの下方の縦壁に、切欠きとの対向面の投影面が切欠きを覆うような庇形状のリブを設けることにより、Ｖ字型切欠きを伝わってきた水の勢いを弱めつつ確実にスクロールの所定位置に導くことを可能とすることが出来る。
【００１７】
第３の発明は、特に、第１または第２の発明のファンケースの下方のスクロール部の一部を低くし溝形状を設けることにより、水の通過する部位を限定でき、確実にグリル内に水を導くことを可能とするものである。
【００１８】
第４の発明は、特に、第３の発明のスクロールに設けた溝の先端最深部を吹出し部のグリル先端部より低くすることにより、確実に水をグリル内に導くことを可能とするものである。
【００１９】
以下、本発明の実施の形態について、図面を参照しながら説明する。なお、この実施の形態によって本発明が限定されるものではない。
【００２０】
（実施の形態１）
図１は、本発明の第１の実施の形態における空気調和機の要部断面図を示すものである。
【００２１】
図１において、クロスフローファン（図示せず）によって、吸込み口（図示せず）から吸込まれた室内空気は、スクロール３及びクロスフローファンの端部を収納保持するファンケース１とから一体形成された台枠（図示せず）と外郭を形成するグリル４からなる室内機内部で熱交換され、スクロール３に沿って吹出し部９から室内に吹出され、室内温度を制御するものであるが、熱交換の際にその温度差によってファンケース１に結露が生じ、溜まった結露水がスクロール３を伝って吹出し部９から室内に飛び出す可能性があったが、ファンケース１最下部にＶ字型の切欠き２を設けることによりファンケース１内に結露した水はファンケース１の最下部に溜まるが、最下部にＶ字型の切欠き２があるため、水滴が大きく溜まる前にＶ字型の切欠きを伝わって下方へ流出し、スクロール３へと導かれ、吹出し口最前部を形成するグリル４内へと水が回収される。
【００２２】
以上のように、本実施の形態においてファンケース１内に結露した水は最下部にＶ字型の切欠き２を設けることにより、大きく溜まることなく少量づつ前記スクロール３を介して、グリル４内に回収することが可能となる。
【００２３】
その結果、室内機のファンケース内の結露水は本体外に飛び出すことなく結露水に対する信頼性は確保される。
【００２４】
（実施の形態２）
図２は、本発明の第２の実施の形態における空気調和機の要部断面図を示すものである。
【００２５】
図２において、Ｖ字型の切欠き２の下方の縦壁に、切欠き２を覆うような長方形の板からなる庇形状のリブ５を吹出し部９に近い方に緩やかな傾きを持って設けることにより、ファンケース１最下部に溜まった水滴は一旦、リブ５上に落ち、その板状部を伝って、その勢いを殺しつつ緩やかに吹出し部９側へ進み、更にリブ５の端面からスクロール３上へ滴下し、スクロール３に沿って吹出し部９へと導かれ、吹出し部９最前部を形成するグリル４内へと水が回収される。
【００２６】
以上のように、本実施の形態においてファンケース１内に結露した水はリブ５を設けることにより、勢いを殺しつつ確実にスクロール３を介して、グリル４内に回収することが可能となる。
【００２７】
その結果、室内機のファンケース内の結露水は本体外に飛び出すことなく結露水に対する信頼性は確保される。
【００２８】
（実施の形態３）
図３は、本発明の第３の実施の形態における空気調和機の要部断面図を示すものである。
【００２９】
図３において、ファンケース１の下方のスクロール３の一部分を低くして溝６を設けることで、ファンケース１から流出した水滴がスクロール３に滴下したときに溝６により導かれ、吹出し部９最前部を形成するグリル４内へと水が回収される。
【００３０】
以上のように、本実施の形態においてファンケース１内に結露した水は溝６を設けることにより、流水部分を確保しそれ以外に流れずに、確実に溝６を介して、グリル４内に回収することが可能となる。
【００３１】
その結果、室内機のファンケース内の結露水はスクロール部の溝により水路を確保され、流水部分が限定され、確実にグリルへと導かれ、結露水に対する信頼性は確保される。
【００３２】
（実施の形態４）
図４は、本発明の第４の実施の形態における空気調和機の要部断面図を示すものである。
【００３３】
図４において、スクロール３に設けた溝６の先端最深部７を吹出し部９のグリルの先端８より低くして、グリル４内へ水を誘導する。
【００３４】
以上のように、本実施の形態においてファンケース１内に結露した水は、溝６の先端最深部７をグリルの先端８よりも低くすることにより、確実にグリル４内に回収されることが可能となる。
【００３５】
その結果、ファンケース１から流出した水滴がスクロール３の溝６に導かれ、吹出し部９最前部を形成するグリル４へ達したときに、大きく水滴が成長していて、もしくは勢いが強い場合でも確実にグリル４内へと水が回収される。
【産業上の利用可能性】
【００３６】
以上のように、本発明にかかる空気調和機は、ファンケース内の結露水を確実に処理可
能な形状を有することにより、保水材等の貼り付けなく安価に結露水に対する信頼性を向上させるものである。
【図面の簡単な説明】
【００３７】
【図１】本発明の実施の形態１における空気調和機の要部断面図
【図２】本発明の実施の形態２における空気調和機の要部断面図
【図３】本発明の実施の形態３における空気調和機の要部断面図
【図４】本発明の実施の形態４における空気調和機の要部断面図
【図５】従来の空気調和機の要部断面図
【符号の説明】
【００３８】
１  ファンケース
２  Ｖ字型の切欠き
３  スクロール
４  グリル
５  リブ
６  溝
７  先端最深部
８  グリルの先端
９  吹出し部
１０  保水材
【図１】
2006194482.tif 000003
【図２】
2006194482.tif 000004
【図３】
2006194482.tif 000005
【図４】
2006194482.tif 000006
【図５】
2006194482.tif 000007